(57)【要約】【課題】耐圧漏洩検査等の際に原子炉冷却水浄化系ダンプ配管から排出される水温を自動的に制御し、廃液処理タンク内への排水温度管理を的確かつ容易に行うこと。【解決手段】原子炉冷却水浄化系ダンプ配管４内の水または廃液タンク５内の水を冷却する熱交換手段９と、この熱交換手段９による水の冷却温度を制御する冷却温度制御手段１０とを備える。【選択図】  図１
2006220510.tif 000002
【特許請求の範囲】
【請求項１】
停止状態の原子炉に水を充填して検査を行う際に適用され、前記原子炉内の高温水を、原子炉冷却水浄化系配管に接続された原子炉冷却水浄化系ダンプ配管により廃液処理タンクに導いて冷却する原子炉冷却水浄化系ダンプ水冷却装置において、前記原子炉冷却水浄化系ダンプ配管内の水または前記廃液タンク内の水を冷却する熱交換手段と、この熱交換手段による前記水の冷却温度を制御する冷却温度制御手段とを備えたことを特徴とする原子炉冷却水浄化系ダンプ水冷却装置。
【請求項２】
前記冷却温度制御手段は、前記原子炉冷却水浄化系ダンプ配管内の水または前記廃液タンク内の水の温度を検出する温度検出器と、この温度検出器により検出された水温に基づく温度信号を発する信号発信器と、この信号発信器の温度信号に基づいて前記水の冷却温度を制御する温度制御器とを備えた請求項１記載の原子炉冷却水浄化系ダンプ水冷却装置。
【請求項３】
前記熱交換手段は、前記高温水を外部水と熱交換する水冷熱交換器、または前記高温水に外部水を注入する水注入冷却装置とされている請求項１または２記載の原子炉冷却水浄化系ダンプ水冷却装置。
【請求項４】
前記原子炉冷却水浄化系ダンプ配管を迂回して前記原子炉冷却水浄化系配管と前記廃液処理タンクとを接続するバイパス配管を備え、前記原子炉冷却水浄化系ダンプ配管または前記バイパス配管の少なくともいずれか一方に、前記熱交換手段が設けられている請求項１から３までのいずれかに記載の原子炉冷却水浄化系ダンプ水冷却装置。
【発明の詳細な説明】
【技術分野】
【０００１】
本発明は、原子力発電プラントの原子炉耐圧漏洩検査時における原子炉冷却水浄化系のダンプ水を冷却するための原子炉冷却水浄化系ダンプ水冷却装置に関する。
【背景技術】
【０００２】
原子炉耐圧漏洩検査とは、例えば沸騰水型原子炉の場合、原子炉圧力容器を高温水で満水にし、制御棒駆動ポンプにて注水しながら原子炉圧力容器内を昇圧し、所定時間（４時間）保持後に、漏洩の有無を確認する検査である。
【０００３】
この原子炉耐圧漏洩検査時には、制御棒駆動ポンプから絶えず水を原子炉圧力容器に注水するとともに、原子炉冷却水浄化系配管に接続された原子炉冷却水浄化系ダンプ配管から廃液処理タンクに水を抜き、原子炉圧力を調整する。
【０００４】
この場合、廃液処理タンクに送られる水の温度が高いと、廃液処理に影響が出るため、温度を低下する必要がある。そこで従来では、原子炉冷却水浄化系ダンプ配管から排出される水が高温の場合には、原子炉冷却水浄化系ダンプ配管、廃液処理タンク等に棒状温度計を取付け、指示値を確認しながら、廃液処理タンクに注水する弁を操作し、廃液処理タンク内の温度を調整していた。
【０００５】
図７は、このような原子炉冷却水浄化系ダンプ水冷却を行う従来の装置構成例を示している。
【０００６】
図７において、原子炉圧力容器１の内部は高温水で満たされており、この原子炉圧力容器１内は、制御棒駆動水ポンプ２を用いた系統からの注水によって昇圧される。制御棒駆動水ポンプ２は、原子炉圧力容器耐圧漏洩検査中に停止することができないため、原子炉圧力容器１の圧力調整として、原子炉冷却水浄化系配管３から分岐した原子炉冷却水浄化系ダンプ配管４から排水が行われる。
【０００７】
この原子炉冷却水浄化系ダンプ配管４から排出された水は、廃液処理タンク５に送られる。原子炉冷却水浄化系ダンプ配管４および廃液処理タンク５には、棒状温度計６が設けられている。また、廃液処理タンク５には、冷却用の水を供給するための廃液処理タンク注水配管７が設けられ、この廃液処理タンク注水配管６には廃液処理タンク注水止弁８が取付けられている。
【０００８】
そして、原子炉冷却水浄化系ダンプ配管４から廃液処理タンク５に排出される水の温度が高い場合には、原子炉冷却水浄化系ダンプ配管４及び廃液処理タンク５に取付けられた棒状温度計６の指示値を確認しながら、手動操作により、廃液処理タンク注水止弁７を操作し、廃液処理タンク注水配管７から廃液処理タンク５に注水して冷却を行っている。
【発明の開示】
【発明が解決しようとする課題】
【０００９】
原子炉発電所の定期検査において、原子炉圧力容器耐圧漏洩検査は必須であり、検査時の原子炉冷却水浄化系ダンプ配管から排出される水温を制御する方法が求められている。
【００１０】
しかし、従来では上述したように、排水温度の確認、排水温度を下げるための注水量の調整等が手動操作によって行われており、随時廃液処理タンク内への排水温度の確認及び注水量の確認等を行う必要があった。
【００１１】
本発明は、このような事情に鑑みてなされたものであり、原子炉冷却水浄化系ダンプ配管から排出される水温を自動的に制御できるようにし、廃液処理タンク内への排水温度管理を的確かつ容易に行うことができる原子炉冷却水浄化系ダンプ水冷却装置を提供することを目的とする。
【課題を解決するための手段】
【００１２】
前記の目的を達成するため、請求項１に係る発明では、停止状態の原子炉に水を充填して検査を行う際に適用され、前記原子炉内の高温水を、原子炉冷却水浄化系配管に接続された原子炉冷却水浄化系ダンプ配管により廃液処理タンクに導いて冷却する原子炉冷却水浄化系ダンプ水冷却装置において、前記原子炉冷却水浄化系ダンプ配管内の水または前記廃液タンク内の水を冷却する熱交換手段と、この熱交換手段による前記水の冷却温度を制御する冷却温度制御手段とを備えたことを特徴とする原子炉冷却水浄化系ダンプ水冷却装置を提供する。
【００１３】
請求項２に係る発明では、前記冷却温度制御手段が、前記原子炉冷却水浄化系ダンプ配管内の水または前記廃液タンク内の水の温度を検出する温度検出器と、この温度検出器により検出された水温に基づく温度信号を発する信号発信器と、この信号発信器の温度信号に基づいて前記水の冷却温度を制御する温度制御器とを備えた原子炉冷却水浄化系ダンプ水冷却装置を提供する。
【００１４】
請求項３に係る発明では、前記熱交換手段が、前記高温水を外部水と熱交換する水冷熱交換器、または前記高温水に外部水を注入する水注入冷却装置とされている請求項１または２記載の原子炉冷却水浄化系ダンプ水冷却装置を提供する。
【００１５】
請求項４に係る発明では、前記原子炉冷却水浄化系ダンプ配管を迂回して前記原子炉冷却水浄化系配管と前記廃液処理タンクとを接続するバイパス配管を備え、前記原子炉冷却水浄化系ダンプ配管または前記バイパス配管の少なくともいずれか一方に、前記熱交換手段が設けられている原子炉冷却水浄化系ダンプ水冷却装置を提供する。
【発明の効果】
【００１６】
本発明によれば、原子炉冷却水浄化系ダンプ配管内の水または廃液タンク内の水を冷却する熱交換手段と、この熱交換手段による水の冷却温度を制御する冷却温度制御手段とを備えたことにより、原子炉冷却水浄化系ダンプ配管から排出される水温を自動的に制御することができ、廃液処理タンク内への排水温度管理を的確かつ容易に行うことができる。
【発明を実施するための最良の形態】
【００１７】
以下、本発明に係る原子炉冷却水浄化系ダンプ水冷却装置の実施形態について、図面を参照して説明する。なお、以下の実施形態では、沸騰水型原子炉における原子炉圧力容器冷却水浄化系ダンプ水冷却装置について説明するが、他の型式の原子炉冷却水浄化系ダンプ水冷却装置にも同様に適用することができる。
【００１８】
［第１実施形態（図１）］
図１は、本発明の第１実施形態による原子炉冷却水浄化系ダンプ水冷却装置を示す系統構成図である。
【００１９】
図１において、原子炉圧力容器１の内部は高温水で満たされており、この原子炉圧力容器１内は、制御棒駆動水ポンプ２を用いた系統からの注水によって昇圧される。原子炉圧力容器１の圧力調整として、原子炉冷却水浄化系配管３から分岐した原子炉冷却水浄化系ダンプ配管４から排水が行われる。この原子炉冷却水浄化系ダンプ配管４から排出された水は、廃液処理タンク５に送られる。
【００２０】
本実施形態ではこのような構成のもとで、原子炉冷却水浄化系配管３から分岐した原子炉冷却水浄化系ダンプ配管４に、この原子炉冷却水浄化系ダンプ配管４内の水を冷却する熱交換手段としてダンプ水冷却用熱交換器９が設けられるとともに、このダンプ水冷却用熱交換器９による水の冷却温度を制御する冷却温度制御手段として冷却温度設定器１０が設けられている。冷却温度設定器１０では、例えば操作員等からの情報入力あるいは他の入力による運転操作が行われ、運転中にはダンプ水冷却用熱交換器９における熱交換量等の検出値等に基づき、フィードバック制御等により水温を常時所定温度まで低下させる設定が行われる。
【００２１】
このように構成された本実施形態によれば、原子炉冷却水浄化系ダンプ配管４の途中にダンプ水冷却用熱交換器９を設置し、原子炉冷却水浄化系ダンプ配管４から廃液処理タンク５に放出される排水を、冷却温度設定器１０の設定値に基づく所定温度まで、ダンプ水冷却用熱交換器９によって冷却することができる。
【００２２】
したがって、本実施形態によれば、原子炉冷却水浄化系ダンプ配管４から排出される水温を自動的に制御することができるため、廃液処理タンク５への注水を調整する等の従来の作業が不要となり、廃液処理タンク５内への排水温度管理を的確かつ容易に行うことができる。
【００２３】
［第２実施形態（図２）］
図２は、本発明の第２実施形態による原子炉冷却水浄化系ダンプ水冷却装置を示す系統構成図である。
【００２４】
図２において、原子炉圧力容器１の内部は高温水で満たされており、この原子炉圧力容器１内は、制御棒駆動水ポンプ２を用いた系統からの注水によって昇圧される。原子炉圧力容器１の圧力調整として、原子炉冷却水浄化系配管３から分岐した原子炉冷却水浄化系ダンプ配管４から排水が行われる。この原子炉冷却水浄化系ダンプ配管４から排出された水は、廃液処理タンク５に送られる。
【００２５】
このような構成のもとで、原子炉冷却水浄化系ダンプ配管４には、この原子炉冷却水浄化系ダンプ配管４内の高温水を冷却する熱交換手段として、ダンプ水冷却用熱交換器９が設けられている。このダンプ水冷却用熱交換器９は、高温水を外部水と熱交換する水冷熱交換器として構成されている。すなわち、ダンプ水冷却用熱交換器９には、外部水ａを循環させる外部水循環配管１１が設けられ、この外部水循環配管１１には外部水制御弁１２が設けられている。
【００２６】
一方、ダンプ水冷却用熱交換器９を制御する冷却温度制御手段として、原子炉冷却水浄化系ダンプ配管４内の水の温度を検出する温度検出器１３と、この温度検出器１３により検出された水温に基づく温度信号を発する信号発信器１４と、この信号発信器１４の温度信号に基づいて水の冷却温度を制御する温度制御器１５とが備えられている。
【００２７】
そして、温度制御器１５から外部水制御弁１２に制御信号が送られ、温度検出器１３の検出温度に基づいて外部水制御弁１２が所定開度に制御され、これにより外部水循環配管１１を流れる外部水ａの流量が制御され、原子炉冷却水浄化系ダンプ配管４から廃液処理タンク５に放出される排水の温度が、温度制御器１５の設定値に基づいて所定温度まで冷却される。
【００２８】
このように構成された本実施形態によれば、温度検出器１３により検出される原子炉冷却水浄化系ダンプ配管４を流れる水の温度に対応して、廃液処理タンク５に放出される排水温度を温度設定器１５の設定値に基づく所定温度まで確実に冷却することができる。
【００２９】
したがって、本実施形態によれば、原子炉冷却水浄化系ダンプ配管４から排出される水温を自動的に、かつ高精度で制御することができるため、廃液処理タンク５への注水を調整する等の従来の作業が不要となり、廃液処理タンク５内への排水温度管理を一層的確かつ容易に行うことができる。
【００３０】
［第３実施形態（図３）］
図３は、本発明の第３実施形態による原子炉冷却水浄化系ダンプ水冷却装置を示す系統構成図である。
【００３１】
図３において、原子炉圧力容器１の内部は高温水で満たされており、この原子炉圧力容器１内は、制御棒駆動水ポンプ２を用いた系統からの注水によって昇圧される。原子炉圧力容器１の圧力調整として、原子炉冷却水浄化系配管３から分岐した原子炉冷却水浄化系ダンプ配管４から排水が行われる。この原子炉冷却水浄化系ダンプ配管４から排出された水は、廃液処理タンク５に送られる。
【００３２】
本実施形態では、このような構成のもとで、原子炉冷却水浄化系ダンプ配管４から分岐してこれを迂回し、原子炉冷却水浄化系配管３と廃液処理タンク５とを接続するバイパス配管１６が設けられている。
【００３３】
そして、原子炉冷却水浄化系ダンプ配管４にはダンプ配管止め弁１７が設置され、バイパス配管１６には、ダンプ水冷却用熱交換器９と、このダンプ水冷却用熱交換器９の上流側に配置される熱交換器前弁１８と、ダンプ水冷却用熱交換器９の下流側に配置される熱交換器後弁１９とが設けられている。
【００３４】
バイパス配管１６に設けられたダンプ水冷却用熱交換器９には、このダンプ水冷却用熱交換器９による水の冷却温度を制御する冷却温度制御手段として冷却温度設定器１０が設けられている。冷却温度設定器１０では、例えば操作員等からの情報入力あるいは他の入力による運転操作が行われ、運転中には操作員等からの情報入力あるいは他の入力による運転操作が行われ、運転中にはダンプ水冷却用熱交換器９における熱交換量等の検出値等に基づき、フィードバック制御等により水温を常時所定温度まで低下させる設定が行われる。
【００３５】
また、原子炉冷却水浄化系ダンプ配管４に設けられたダンプ配管止め弁１７と、バイパス配管１６に設けられた熱交換器前弁１８および熱交換器後弁１９とを制御する弁制御装置２０が設けられている。この弁制御装置２０においても、例えば操作員等からの情報入力あるいは他の入力による運転操作が行われ、運転中には操作員等からの情報入力あるいは他の入力による運転操作が行われる。そして、この弁制御装置２０からの出力により、ダンプ水温度が高い場合にはダンプ配管止め弁１７を閉とする制御が行われ、ダンプ水冷却用熱交換器前弁１８と熱交換器後弁１９を開とする制御が行われ、これによりダンプバイパス配管１６側にダンプ水が流れ、ダンプ水が冷却後廃水処理タンク５に廃水される。
【００３６】
また、ダンプ水が水温が低い場合には、ダンプ配管止め弁１７を開とする制御が行われ、ダンプ水冷却用熱交換器前弁１８と熱交換器後弁１９を閉とする制御が行われ、ダンプ水が原子炉冷却水浄化系ダンプ配管４に流れて廃水処理タンク５への廃水が行われる。
【００３７】
このように構成された本実施形態においては、必要時のみダンプ水の冷却を行うことができるとともに、廃水処理タンク５に排水する排水の温度が十分低い場合には、ダンプ水冷却用熱交換器９を使用する必要が無く、ダンプ水冷却用熱交換器９の点検が容易に実施できる。
【００３８】
したがって、本実施形態によれば、原子炉冷却水浄化系ダンプ配管４から排出される水温を自動的に、かつ高精度で制御することができるため、廃液処理タンク５への注水を調整する等の従来の作業が不要となり、廃液処理タンク５内への排水温度管理を一層的確かつ容易に行うことができるとともに、必要時のみダンプ水の冷却を行うことができ、またダンプ水冷却用熱交換器９の点検が容易に実施できる等の効果が奏される。
【００３９】
なお、本実施形態では、前記構成のほか、ダンプ水冷却用熱交換器９を原子炉冷却水浄化系ダンプ配管４またはバイパス配管１６の少なくともいずれか一方に設ける構成として、種々の態様で実施することができる。
【００４０】
［第４実施形態（図４）］
図４は、本発明の第４実施形態による原子炉冷却水浄化系ダンプ水冷却装置を示す系統構成図である。
【００４１】
図４において、原子炉圧力容器１の内部は高温水で満たされており、この原子炉圧力容器１内は、制御棒駆動水ポンプ２を用いた系統からの注水によって昇圧される。原子炉圧力容器１の圧力調整として、原子炉冷却水浄化系配管３から分岐した原子炉冷却水浄化系ダンプ配管４から排水が行われる。この原子炉冷却水浄化系ダンプ配管４から排出された水は、廃液処理タンク５に送られる。
【００４２】
本実施形態では、このような構成のもとで、原子炉冷却水浄化系ダンプ配管４から分岐してこれを迂回し、原子炉冷却水浄化系配管３と廃液処理タンク５とを接続するバイパス配管１６が設けられている。
【００４３】
そして、原子炉冷却水浄化系ダンプ配管４にはダンプ配管止め弁１７が設置され、バイパス配管１６には、ダンプ水冷却用熱交換器９と、このダンプ水冷却用熱交換器９の上流側に配置される熱交換器前弁１８と、ダンプ水冷却用熱交換器９の下流側に配置される熱交換器後弁１９とが設けられている。
【００４４】
バイパス配管１６に設けられたダンプ水冷却用熱交換器９は、高温水を外部水と熱交換する水冷熱交換器として構成されている。すなわち、ダンプ水冷却用熱交換器９には、外部水ａを循環させる外部水循環配管１１が設けられ、この外部水循環配管１１には外部水制御弁１２が設けられている。
【００４５】
一方、ダンプ水冷却用熱交換器９を制御する冷却温度制御手段として、原子炉冷却水浄化系ダンプ配管４内の水の温度を検出する温度検出器１３と、この温度検出器１３により検出された水温に基づく温度信号を発する信号発信器１４と、この信号発信器１４の温度信号に基づいて水の冷却温度を制御する温度制御器１５とが備えられている。
【００４６】
そして、温度制御器１５から外部水制御弁１２に制御信号が送られ、温度検出器１３の検出温度に基づいて外部水制御弁１２が所定開度に制御され、これにより外部水循環配管１１を流れる外部水ａの流量が制御され、原子炉冷却水浄化系ダンプ配管４から廃液処理タンク５に放出される排水の温度が、温度制御器１５の設定値に基づいて所定温度まで冷却される。
【００４７】
また、原子炉冷却水浄化系ダンプ配管４に設けられたダンプ配管止め弁１７と、バイパス配管１６に設けられた熱交換器前弁１８および熱交換器後弁１９とを制御する弁制御装置２０が設けられている。この弁制御装置２０においても、例えば操作員等からの情報入力あるいは他の入力による運転操作が行われ、運転中には操作員等からの情報入力あるいは他の入力による運転操作が行われる。そして、この弁制御装置２０からの出力により、ダンプ水温度が高い場合にはダンプ配管止め弁１７を閉とする制御が行われ、ダンプ水冷却用熱交換器前弁１８と熱交換器後弁１９を開とする制御が行われ、これによりダンプバイパス配管１６側にダンプ水が流れ、ダンプ水が冷却後廃水処理タンク５に廃水される。
【００４８】
また、ダンプ水が水温が低い場合には、ダンプ配管止め弁１７を開とする制御が行われ、ダンプ水冷却用熱交換器前弁１８と熱交換器後弁１９を閉とする制御が行われ、ダンプ水が原子炉冷却水浄化系ダンプ配管４に流れて廃水処理タンク５への廃水が行われる。
【００４９】
このように構成された本実施形態においては、必要時のみダンプ水の冷却を行うことができるとともに、廃水処理タンク５に排水する排水の温度が十分低い場合には、ダンプ水冷却用熱交換器９を使用する必要が無く、ダンプ水冷却用熱交換器９の点検が容易に実施できる。
【００５０】
また、温度検出器１３により検出される原子炉冷却水浄化系ダンプ配管４を流れる水の温度に対応して、廃液処理タンク５に放出される排水温度を温度設定器１５の設定値に基づく所定温度まで確実に冷却することができる。
【００５１】
したがって、本実施形態によれば、原子炉冷却水浄化系ダンプ配管４から排出される水温を自動的に、かつ高精度で制御することができるため、廃液処理タンク５への注水を調整する等の従来の作業が不要となり、廃液処理タンク５内への排水温度管理を一層的確かつ容易に行うことができるとともに、必要時のみダンプ水の冷却を行うことができ、またダンプ水冷却用熱交換器９の点検が容易に実施できる等の効果が奏される。
【００５２】
また、原子炉冷却水浄化系ダンプ配管４から排出される水温を自動的に、かつ高精度で制御することができるため、廃液処理タンク５への注水を調整する等の従来の作業が不要となり、廃液処理タンク５内への排水温度管理を一層的確かつ容易に行うことができる等の効果が奏される。
【００５３】
なお、本実施形態では、前記構成のほか、ダンプ水冷却用熱交換器９を原子炉冷却水浄化系ダンプ配管４またはバイパス配管１６の少なくともいずれか一方に設ける構成として、種々の態様で実施することができる。
【００５４】
［第５実施形態（図５）］
図５は、本発明の第５実施形態による原子炉冷却水浄化系ダンプ水冷却装置を示す系統構成図である。
【００５５】
図５において、原子炉圧力容器１の内部は高温水で満たされており、この原子炉圧力容器１内は、制御棒駆動水ポンプ２を用いた系統からの注水によって昇圧される。原子炉圧力容器１の圧力調整として、原子炉冷却水浄化系配管３から分岐した原子炉冷却水浄化系ダンプ配管４から排水が行われる。この原子炉冷却水浄化系ダンプ配管４から排出された水は、廃液処理タンク５に送られる。
【００５６】
このような構成のもとで、原子炉冷却水浄化系ダンプ配管４には、この原子炉冷却水浄化系ダンプ配管４内の高温水を冷却する熱交換手段として、高温水に外部水ａを注入して冷却する水注入冷却装置２１が設けられている。この水注入冷却装置２１は、原子炉冷却水浄化系ダンプ配管４に外部水ａを注入する外部水注入配管２２と、この外部水注入配管２２への注入を制御する外部水注入制御弁２３とを備えた構成とされている。
【００５７】
一方、ダンプ外部水注入制御弁２３を制御する冷却温度制御手段として、原子炉冷却水浄化系ダンプ配管４内の水の温度を検出する温度検出器１３と、この温度検出器１３により検出された水温に基づく温度信号を発する信号発信器１４と、この信号発信器１４の温度信号に基づいて水の冷却温度を制御する温度制御器１５とが備えられている。
【００５８】
そして、温度制御器１５から外部水制御弁１２に制御信号が送られ、温度検出器１３の検出温度に基づいて外部水制御弁１２が所定開度に制御され、これにより外部水注入配管２２から注入される外部水ａの流量が制御され、原子炉冷却水浄化系ダンプ配管４から廃液処理タンク５に放出される排水の温度が、温度制御器１５の設定値に基づいて所定温度まで冷却される。
【００５９】
このように構成された本実施形態によれば、温度検出器１３により検出される原子炉冷却水浄化系ダンプ配管４を流れる水の温度に対応して外部水ａの注入量を制御することにより、廃液処理タンク５に放出される排水温度を温度設定器１５の設定値に基づく所定温度まで確実に冷却することができる。
【００６０】
したがって、本実施形態によれば、原子炉冷却水浄化系ダンプ配管４から排出される水温を外部水ａの注入量によって自動的に、かつ高精度で制御することができるため、廃液処理タンク５への注水を調整する等の従来の作業が不要となり、廃液処理タンク５内への排水温度管理を一層的確かつ容易に行うことができる。
【００６１】
［第６実施形態（図６）］
図６は、本発明の第６実施形態による原子炉冷却水浄化系ダンプ水冷却装置を示す系統構成図である。
【００６２】
図６において、原子炉圧力容器１の内部は高温水で満たされており、この原子炉圧力容器１内は、制御棒駆動水ポンプ２を用いた系統からの注水によって昇圧される。原子炉圧力容器１の圧力調整として、原子炉冷却水浄化系配管３から分岐した原子炉冷却水浄化系ダンプ配管４から排水が行われる。この原子炉冷却水浄化系ダンプ配管４から排出された水は、廃液処理タンク５に送られる。
【００６３】
このような構成のもとで、原子炉冷却水浄化系ダンプ配管４には、この原子炉冷却水浄化系ダンプ配管４内の高温水を冷却する熱交換手段として、廃液処理タンク５に外部水ａを注入して冷却するタンク内水注入冷却装置２４が設けられている。このタンク内水注入冷却装置２４は、廃液処理タンク５に外部水ａを注入する外部水注入配管２５と、この外部水注入配管２５への注入を制御する外部水注入制御弁２６とを備えた構成とされている。
【００６４】
一方、外部水注入制御弁２６を制御する冷却温度制御手段として、廃液処理タンク５内の水の温度を検出する温度検出器１３と、この温度検出器１３により検出された水温に基づく温度信号を発する信号発信器１４と、この信号発信器１４の温度信号に基づいて水の冷却温度を制御する温度制御器１５とが備えられている。
【００６５】
そして、温度制御器１５から外部水制御弁１２に制御信号が送られ、温度検出器１３の検出温度に基づいて外部水制御弁１２が所定開度に制御され、これにより外部水注入配管２５から注入される外部水ａの流量が制御され、廃液処理タンク５内の排水の温度が、温度制御器１５の設定値に基づいて所定温度まで低下する。
【００６６】
このように構成された本実施形態によれば、温度検出器１３により検出される廃液処理タンク５内の水の温度に対応して、外部水注入制御弁２６を調整しながら廃液処理タンク５に外部水ａを注入することにより、廃液処理タンク５内の排水の温度を設定値に基づく所定温度まで確実に低下することができる。
【００６７】
したがって、本実施形態によれば、原子炉冷却水浄化系ダンプ配管４から排出される水温を外部水ａの注入量によって自動的に、かつ高精度で制御することができるため、廃液処理タンク５への注水を調整する等の従来の作業が不要となり、廃液処理タンク５内の排水温度管理を一層的確かつ容易に行うことができる。
【図面の簡単な説明】
【００６８】
【図１】本発明の第１実施形態による原子炉冷却水浄化系ダンプ水冷却装置を示す系統構成図。
【図２】本発明の第２実施形態による原子炉冷却水浄化系ダンプ水冷却装置を示す系統構成図。
【図３】本発明の第３実施形態による原子炉冷却水浄化系ダンプ水冷却装置を示す系統構成図。
【図４】本発明の第４実施形態による原子炉冷却水浄化系ダンプ水冷却装置を示す系統構成図。
【図５】本発明の第５実施形態による原子炉冷却水浄化系ダンプ水冷却装置を示す系統構成図。
【図６】本発明の第６実施形態による原子炉冷却水浄化系ダンプ水冷却装置を示す系統構成図。
【図７】従来の原子炉冷却水浄化系ダンプ水冷却装置を示す系統構成図。
【符号の説明】
【００６９】
１  原子炉圧力容器
２  制御棒駆動水ポンプ
３  原子炉冷却水浄化系配管
４  原子炉冷却水浄化系ダンプ配管
５  廃液処理タンク
９  ダンプ水冷却用熱交換器
１０  冷却温度設定器
１１  外部水循環配管
１２  外部水制御弁
１３  温度検出器
１４  信号発信器
１５  温度制御器
１６  バイパス配管
１７  ダンプ配管止め弁
１８  熱交換器前弁
１９  熱交換器後弁
２０  弁制御装置
２１  水注入冷却装置
２２  外部水注入配管
２３  外部水注入制御弁
２４  タンク内水注入冷却装置
２５  外部水注入配管
２６  外部水注入制御弁
ａ  外部水
【図１】
2006220510.tif 000003
【図２】
2006220510.tif 000004
【図３】
2006220510.tif 000005
【図４】
2006220510.tif 000006
【図５】
2006220510.tif 000007
【図６】
2006220510.tif 000008
【図７】
2006220510.tif 000009